(57)【要約】モータに取り付け可能なインバータユニットであって、インバータ回路を含むパワー部と、パワー部を収容するインバータ筐体と、パワー部に電気的に接続される外部接続バスバー、とを備え、インバータ筐体は、底壁と、底壁の周縁から上側に延びる筒状の側壁とを有する下側ケースを有し、外部接続バスバーは、下側ケースの底壁または側壁を内外に貫通して配置され、パワー部と外部接続バスバーとは、下側ケースの側壁の上端面よりも上側に位置するバスバー接続部において接続される、インバータユニット。【選択図】図１
2020040279.tif 000002
【特許請求の範囲】
【請求項１】
モータに取り付け可能なインバータユニットであって、
インバータ回路を含むパワー部と、前記パワー部を収容するインバータ筐体と、前記パワー部に電気的に接続される外部接続バスバー、とを備え、
前記インバータ筐体は、底壁と、前記底壁の周縁から上側に延びる筒状の側壁とを有する下側ケースを有し、
前記外部接続バスバーは、前記下側ケースの前記底壁または前記側壁を内外に貫通して配置され、
前記パワー部と前記外部接続バスバーとは、前記下側ケースの前記側壁の上端面よりも上側に位置するバスバー接続部において接続される、
インバータユニット。
【請求項２】
前記バスバー接続部において、前記パワー部と前記外部接続バスバーとは、上下方向と交差する方向に延びるボルトを用いて締結される、
請求項１に記載のインバータユニット。
【請求項３】
前記パワー部と前記外部接続バスバーとを接続する中継バスバーを有する、
請求項１または２に記載のインバータユニット。
【請求項４】
前記外部接続バスバーおよび前記中継バスバーは、いずれも帯状の金属板であり、
前記バスバー接続部において、前記中継バスバーと前記外部接続バスバーとは、互いの板面を重ね合わされた状態でボルト締結される、
請求項３に記載のインバータユニット。
【請求項５】
前記パワー部の出力端子と前記中継バスバーとを接続する中継接続部を有し、
前記中継接続部は、
前記パワー部の出力端子と前記中継バスバーとを下側から支持する中継部支持台と、
前記パワー部の出力端子と前記中継バスバーとを接続する中継部固定部材と、
を有する、
請求項３または４に記載のインバータユニット。
【請求項６】
前記中継部固定部材は、前記中継バスバーを上下方向に貫通し、前記パワー部の出力端子に設けられるネジ穴に締め込まれるボルトである、
請求項５に記載のインバータユニット。
【請求項７】
複数の前記中継バスバーを有し、前記パワー部は複数の前記出力端子を有しており、
前記中継部支持台は、前記パワー部の出力端子と前記中継バスバーとが固定される端子支持部を複数有し、
前記複数の端子支持部は、上下方向と交差する方向に並んで配置され、
隣り合う前記端子支持部の間には、上下方向に延びる中継部区画壁が位置する、
請求項５または６に記載のインバータユニット。
【請求項８】
請求項１から７のいずれか１項に記載のインバータユニットと、
前記インバータユニットから交流電流を供給される前記モータと、
を備える、モータユニット。
【発明の詳細な説明】
【技術分野】
【０００１】
本発明は、インバータユニット、モータユニットに関する。
【背景技術】
【０００２】
従来、モータを制御するためインバータとインバータを収容するケースとを備えたインバータユニットが知られる。日本国公開公報特開２００３−１９９３６３号公報には、コンパクト性、組立性、製造性および耐震性等を考慮して各部品の大きさの順に積み重ねて固定する電動駆動装置ユニット（インバータユニット）が開示される。
【先行技術文献】
【特許文献】
【０００３】
【特許文献１】日本国公開公報特開２００３−１９９３６３号公報
【発明の概要】
【発明が解決しようとする課題】
【０００４】
インバータユニットのインバータおよびコンデンサは、底壁を有する筒状のケースに収容されていた。この構成では、ケースの底壁付近に配置される部品に対してバスバーまたは配線を接続しようとすると、ケースと部品との狭い隙間を通じて接続部分を操作する必要があり、組み立て作業の効率が低くなる課題があった。
【課題を解決するための手段】
【０００５】
本発明の一態様によれば、モータに取り付け可能なインバータユニットであって、インバータ回路を含むパワー部と、前記パワー部を収容するインバータ筐体と、前記パワー部に電気的に接続される外部接続バスバー、とを備え、前記インバータ筐体は、底壁と、前記底壁の周縁から上側に延びる筒状の側壁とを有する下側ケースを有し、前記外部接続バスバーは、前記下側ケースの前記底壁または前記側壁を内外に貫通して配置され、前記パワー部と前記外部接続バスバーとは、前記下側ケースの前記側壁の上端面よりも上側に位置するバスバー接続部において接続される、インバータユニットが提供される。
【発明の効果】
【０００６】
本発明の一態様によれば、組み立て作業を効率よく実施できるインバータユニット、および上記インバータユニットを備えるモータユニットが提供される。
【図面の簡単な説明】
【０００７】
【図１】図１は、本実施形態のインバータユニットを上側から見た斜視図である。
【図２】図２は、本実施形態のインバータユニットを下側から見た斜視図である。
【図３】図３は、本実施形態のインバータユニットの部分断面図である。
【図４】図４は、本実施形態のインバータユニットの内部構造を示す平面図である。
【図５】図５は、本実施形態のインバータユニットの内部構造を示す斜視図である。
【図６】図６は、外部接続バスバー周辺の接続構造を示す分解斜視図である。
【発明を実施するための形態】
【０００８】
以下、図面を用いて本発明の実施の形態について説明する。
以下の説明では、インバータユニット１が水平な路面上に位置する車両に搭載された場合の位置関係を基に、重力方向を規定して説明する。また、図面においては、適宜三次元直交座標系としてＸＹＺ座標系を示す。ＸＹＺ座標系において、Ｚ軸方向は、鉛直方向（すなわち上下方向）を示し、＋Ｚ方向が上側（重力方向の反対側）であり、−Ｚ方向が下側（重力方向）である。また、Ｘ軸方向は、Ｚ軸方向と直交する方向であり、本実施形態ではインバータユニット１の短辺に沿う方向を示す。Ｙ軸方向は、Ｘ軸方向とＺ軸方向との両方と直交する方向であり、本実施形態ではインバータユニット１の長辺に沿う方向を示す。
【０００９】
インバータユニット１は、図３に示すように、モータユニット３に備えられる。モータユニット３は、インバータユニット１とモータ２とを有する。インバータユニット１は、モータ２の上面に設置される。したがって、インバータユニット１の下面がモータ２と接続されるモータ接続部１０Ａである。モータ接続部１０Ａは、インバータユニット１とモータ２とを機械的に接続する部位である。インバータユニット１とモータ２との接続構造としては、ボルト締結を用いることができる。インバータユニット１とモータ２との着脱が不要であれば、リベット締結または溶接を用いてもよい。モータ接続部１０Ａにブラケットを取り付け、上記ブラケットを介してインバータユニット１とモータ２とを接続してもよい。
モータ２は、インバータユニット１から交流電流を供給される。モータ２は、インバータユニット１により、制御される。インバータユニット１は、モータ２のステータのコイル線と接続される。
【００１０】
本実施形態のモータユニット３は、ハイブリッド自動車（ＨＥＶ）、プラグインハイブリッド自動車（ＰＨＶ）、電気自動車（ＥＶ）等、モータを動力源とする車両に搭載され、その動力源として使用される。モータユニット３は、モータ２の回転を減速する減速装置（図示略）を備えていてもよい。
【００１１】
インバータユニット１は、直流電流を交流電流に変換してモータ２に供給する。図１から図４に示すように、インバータユニット１は、インバータ筐体１０と、制御基板２０と、インバータ回路を含むパワー部３０と、コンデンサ４０と、複数の外部接続バスバー５０と、を備える。
【００１２】
インバータ筐体１０は、下側ケース１１と、下側ケース１１の開口部に取り付けられるカバー部材１２とを有する。下側ケース１１は、底壁１１ａと、底壁１１ａの周縁から上側に延びる筒状の側壁１１ｂとを有する。カバー部材１２は、頂壁１２ａと、頂壁１２ａの周縁から下側に延びる筒状の側壁１２ｂとを有する。下側ケース１１とカバー部材１２は、側壁１１ｂの上端面１１ｃと、側壁１２ｂの下端面１２ｃとを対向させた状態でボルト締結される。
【００１３】
下側ケース１１は、底壁１１ａと側壁１１ｂとに囲まれる収容室１３を有する。上側から見て収容室１３の内側に、制御基板２０、パワー部３０、コンデンサ４０、および外部接続バスバー５０が配置される。
収容室１３は、水平方向に区画される第１の収容室１３Ａと第２の収容室１３Ｂとを含む。すなわち、インバータ筐体１０は、第１の収容室１３Ａおよび第２の収容室１３Ｂを有する。パワー部３０および外部接続バスバー５０は、第１の収容室１３Ａ内に配置される。制御基板２０およびコンデンサ４０は第２の収容室１３Ｂ内に配置される。
【００１４】
第１の収容室１３Ａは、図４に示すように、平面視で略矩形状である。第１の収容室１３Ａの底部には、図２に示すように、冷却部６０が設けられる。冷却部６０は、冷媒流路１１ｄを有する。冷媒流路１１ｄは、底壁１１ａの上面側に開口する凹部である。冷媒流路１１ｄは平面視で略矩形状である。冷媒流路１１ｄは、底壁１１ａを貫通する管状流路を介して下側ケース１１側面の配管接続端子１４、１５に接続される。配管接続端子１４、１５は外部の冷媒配管と接続される。冷媒流路１１ｄ上には、パワー部３０が固定される。
【００１５】
第２の収容室１３Ｂは、図４に示すように、第１の収容室１３ＡよりもＸ軸方向に細長い略矩形状である。第２の収容室１３Ｂの底部に、コンデンサ４０が固定される。コンデンサ４０の上面に、制御基板２０が固定される。
【００１６】
制御基板２０は、パワー部３０を介してモータ２に駆動信号を供給し、モータ２を制御する。制御基板２０は、モータユニット３に設けられるレゾルバ等のエンコーダと電気的に接続される。制御基板２０は、エンコーダから出力されるモータ２の回転情報に基づいて、モータ２の回転数と電流により回転数およびトルクをフィードバック制御する。
【００１７】
コンデンサ４０は、図１および図４に示すように、配線９ａを介して外部電源装置９に接続される。配線９ａは、配線９ａの終端に設けられる配線端子９ｂを介してコンデンサ４０のコンデンサ入力端子４１に接続される。外部電源装置９は、例えば車両に搭載された二次電池である。インバータユニット１は、外部電源装置９から供給される直流電流を交流電流に変換し、外部接続バスバー５０を介してモータ２に供給する。
【００１８】
パワー部３０は、パワー基板３１と、パワー基板３１の下側に位置する半導体モジュール３２とを有する。本実施形態の場合、パワー基板３１および半導体モジュール３２は、いずれも平板状である。
【００１９】
半導体モジュール３２は、６個のＩＧＢＴ（絶縁ゲートバイポーラトランジスタ）を有する三相インバータをケース内に内蔵する。半導体モジュール３２は、図３に示すように、半導体モジュール３２の下面から下側へ延びる複数の柱状体からなるヒートシンク３２ａを有する。半導体モジュール３２は、冷媒流路１１ｄを上側から覆った状態で底壁１１ａに固定される。ヒートシンク３２ａは冷媒流路１１ｄ内に配置される。冷媒流路１１ｄの周囲を囲んでリング状の封止部材３３が配置される。冷媒流路１１ｄは、底壁１１ａの上面と半導体モジュール３２との間に挟まれる封止部材３３により封止される。
【００２０】
半導体モジュール３２の上面に、半導体モジュール３２を駆動するパワー基板３１が配置される。パワー基板３１と半導体モジュール３２とは、半導体モジュール３２から上側へ延びる複数の接続ピン３４を介して電気的に接続される。
【００２１】
半導体モジュール３２は、図４に示すように、コンデンサ４０と対向する側面に、６本のインバータ入力端子３５を有する。インバータ入力端子３５は、コンデンサ４０から延びる図示しない６本のコンデンサ出力端子に接続される。半導体モジュール３２は、コンデンサ４０と反対側の側面に、３本の出力端子３６Ｕ、３６Ｖ、３６Ｗを有する。すなわち、パワー部３０は、出力端子３６Ｕ、３６Ｖ、３６Ｗを有する。
【００２２】
出力端子３６Ｕ、３６Ｖ、３６Ｗは、それぞれ、中継バスバー５７Ｕ、５７Ｖ、５７Ｗと接続される。以下の説明では、パワー部３０の出力端子３６Ｕ、３６Ｖ、３６Ｗを総称して出力端子３６と記載することがある。また中継バスバー５７Ｕ、５７Ｖ、５７Ｗを総称して中継バスバー５７と記載することがある。
【００２３】
中継バスバー５７は、図４から図６に示すように、帯状の金属板である。２本の中継バスバー５７Ｕ、５７Ｗは、上側から見てＬ形であり、他の１本の中継バスバー５７Ｕは上側から見て直線状である。中継バスバー５７Ｕ、５７Ｖ、５７Ｗは、出力端子３６Ｕ、３６Ｖ、３６Ｗとの接続部から水平方向へ延び、外部接続バスバー５０の近傍において上側へ折り曲げられている。中継バスバー５７Ｕ、５７Ｖ、５７Ｗの先端部は、下側ケース１１の上端面１１ｃよりも上側に位置する。
【００２４】
中継バスバー５７は、パワー部３０の側方に位置する中継接続部７０において出力端子３６と接続される。中継接続部７０は、図３および図６に示すように、パワー部３０の出力端子３６と中継バスバー５７とを下側から支持する中継部支持台７１と、パワー部３０の出力端子３６Ｕ、３６Ｖ、３６Ｗと中継バスバー５７とを接続するボルト７２と、を有する。
【００２５】
ボルト７２は、中継接続部７０における中継部固定部材である。ボルト７２は、中継バスバー５７を上下方向に貫通し、パワー部３０の出力端子３６のネジ穴に締め込まれる。この構成により、中継バスバー５７と出力端子３６とを容易かつ強固に固定できる。
【００２６】
中継部支持台７１は、図５および図６に示すように、パワー部３０の側面に沿ってＸ軸方向に延びる棒状の部材である。中継部支持台７１は、長さ方向（Ｙ軸方向）に沿って互いに間隔を空けて配置される３箇所の端子支持部７１ａを有する。すなわち、中継部支持台７１は、上下方向と交差する方向に並ぶ複数の端子支持部７１ａを有する。隣り合う端子支持部７１ａの間には、上下方向に延びる中継部区画壁７１ｂが位置する。この構成によれば、中継部区画壁７１ｂによって出力端子３６を相互に絶縁できる。
【００２７】
中継部支持台７１は、３箇所の端子支持部７１ａにおいて、端子支持部７１ａのパワー部３０と反対側の端部から上側へ延びる第１位置決め壁７１ｃを有する。
中継部支持台７１は、上面から上側へ延びる３本の円柱状の位置決めピン７１ｄを有する。２本の位置決めピン７１ｄは、中継部区画壁７１ｂの上面から上側へ延びる。他の１本の位置決めピン７１ｄは、中央に位置する第１位置決め壁７１ｃの上端面から上側へ延びる。
中継部支持台７１は、２箇所の中継部区画壁７１ｂの上面の中央部側の端部からそれぞれ上側へ延びる第２位置決め壁７１ｅを有する。第２位置決め壁７１ｅは、隣り合って配置される中継バスバー５７同士を絶縁する区画壁としても機能する。
【００２８】
中継部支持台７１は、長さ方向の両端部に１つずつのフランジ部７１ｆを有する。フランジ部７１ｆは、フランジ部７１ｆを上下方向に貫通する貫通孔を有する。中継部支持台７１は、図３に示すように、フランジ部７１ｆの貫通孔に通されるボルト７３により、下側ケース１１の底壁１１ａに締結される。
【００２９】
パワー部３０の出力端子３６と中継バスバー５７とは、中継部支持台７１の端子支持部７１ａ上で締結される。図６に示すように、端子支持部７１ａの上面に、出力端子３６が配置される。出力端子３６の上面と中継部区画壁７１ｂの上面はほぼ同じ高さである。中継部支持台７１上に、３本の中継バスバー５７が配置される。
【００３０】
平面視でＬ形の中継バスバー５７Ｕは、出力端子３６Ｕおよび中継部区画壁７１ｂの上面に配置される。中継バスバー５７Ｕの貫通孔に、位置決めピン７１ｄが通される。中継バスバー５７Ｕの側面は、第１位置決め壁７１ｃおよび第２位置決め壁７１ｅにより位置決めされる。ボルト７２が中継バスバー５７Ｕのボルト挿入孔に通され、出力端子３６Ｕのネジ穴に締め込まれることにより、中継バスバー５７Ｕと出力端子３６Ｕとがボルト締結される。
【００３１】
中継バスバー５７Ｖは、出力端子３６Ｖおよび第１位置決め壁７１ｃ上に配置される。中継バスバー５７Ｖの貫通孔に、位置決めピン７１ｄが通される。中継バスバー５７ＶのＸ軸方向を向く２側面は、第２位置決め壁７１ｅにより位置決めされる。ボルト７２が中継バスバー５７Ｖのボルト挿入孔に通され、出力端子３６Ｖのネジ穴に締め込まれることにより、中継バスバー５７Ｖと出力端子３６Ｖとがボルト締結される。
中継バスバー５７Ｗは、中継バスバー５７Ｕと同様に、出力端子３６Ｗおよび中継部区画壁７１ｂ上に位置決めされた状態で配置され、ボルト７２を用いて締結される。
【００３２】
本実施形態のインバータユニット１では、中継部支持台７１を備えることで、出力端子３６と中継バスバー５７とを締結する際に、出力端子３６を下側から支持した状態でボルト７２を締め込むことができる。これにより、ボルト７２を締め込む際に、パワー部３０に対して曲げ応力がかかるのを抑えることができる。
また、中継部支持台７１の第１位置決め壁７１ｃ、位置決めピン７１ｄおよび第２位置決め壁７１ｅにより中継バスバー５７が位置決めされる。これにより、中継接続部７０の組み立て作業が行いやすくなる。
なお、中継部支持台７１と中継バスバー５７が一体化された部品を用いてもよい。この構成によれば、中継バスバー５７を外部接続バスバー５０へ取り付ける際の作業性が向上する。
【００３３】
中継バスバー５７Ｕ、５７Ｖ、５７Ｗは、バスバー接続部５５において、それぞれ外部接続バスバー５０Ｕ、５０Ｖ、５０Ｗと接続される。以下の説明では、外部接続バスバー５０Ｕ、５０Ｖ、５０Ｗを総称して外部接続バスバー５０と記載することがある。
【００３４】
外部接続バスバー５０は、図４から図６に示すように、帯状の金属板である。外部接続バスバー５０Ｕ、５０Ｖ、５０Ｗは、いずれも上下方向に沿って延びる直線形状を有する。外部接続バスバー５０Ｕ、５０Ｖ、５０Ｗの先端部は、下側ケース１１の上端面１１ｃよりも上側に位置する。
【００３５】
外部接続バスバー５０は、図６に示すバスバーホルダ５２に保持される。本実施形態の場合、外部接続バスバー５０は、樹脂製のバスバーホルダ５２にインサート成形されている。バスバーホルダ５２は、３本の外部接続バスバー５０を保持する本体部５２ａと、本体部５２ａの上面から上側に延びる４本の区画壁５２ｂと、本体部５２ａの外周面の下端部から水平方向に広がるフランジ部５２ｃと、を有する。
【００３６】
外部接続バスバー５０Ｕ、５０Ｖ、５０Ｗは、各々の板面をパワー部３０側に向けられた状態で、下側ケース１１の短辺方向（Ｘ軸方向）に並んで配置される。外部接続バスバー５０Ｕ、５０Ｖ、５０Ｗは、それぞれが２つの区画壁５２ｂの間に位置する。区画壁５２ｂは、Ｘ軸方向に隣り合う外部接続バスバー５０同士を絶縁する。
【００３７】
バスバーホルダ５２は、図２および図３に示すように、下側ケース１１の底壁１１ａを上下方向に貫通するケース貫通孔１１ｅに、下側ケース１１の下面側から挿入される。バスバーホルダ５２は、フランジ部５２ｃの上面が下側ケース１１の下面に突き当てられることにより、上下方向に位置決めされる。バスバーホルダ５２は、フランジ部５２ｃの貫通孔に通されるボルトにより、下側ケース１１の底壁１１ａに締結される。この構成により、外部接続バスバー５０は、下側ケース１１の底壁１１ａを内外に貫通して配置される。
【００３８】
バスバーホルダ５２が下側ケース１１に固定された状態で、外部接続バスバー５０Ｕ、５０Ｖ、５０Ｗの上端部は、中継バスバー５７Ｕ、５７Ｖ、５７Ｗの上端部とほぼ同じ高さに配置される。中継バスバー５７Ｕと外部接続バスバー５０Ｕとは、互いの板面を重ね合わされた状態で、水平方向に延びるボルト５４により締結される。中継バスバー５７Ｖと外部接続バスバー５０Ｖ、中継バスバー５７Ｗと外部接続バスバー５０Ｗについても、互いの板面を重ね合わされた状態で、ボルト５４により締結される。
すなわち、中継バスバー５７と外部接続バスバー５０とは、上下方向と交差する方向に延びるボルト５４を用いて締結される。
【００３９】
ボルト５４による中継バスバー５７と外部接続バスバー５０との接続部が、インバータユニット１におけるバスバー接続部５５である。
本実施形態では、図３および図５に示すように、バスバー接続部５５が、下側ケース１１の上端面１１ｃよりも上側に位置する。すなわち、カバー部材１２を取り外した状態で、バスバー接続部５５が下側ケース１１の収容室１３の外側に位置する。この構成によれば、中継バスバー５７と外部接続バスバー５０との接続作業において、下側ケース１１の側壁１１ｂが邪魔にならず、組み立て作業を効率よく実施できる。
【００４０】
本実施形態では、バスバー接続部５５において、中継バスバー５７と外部接続バスバー５０とが、上下方向と交差する方向に延びるボルト５４を用いて締結される。バスバー接続部５５が下側ケース１１の上端面１１ｃよりも上側に位置するので、上下方向に対して横方向に延びるボルト５４による締結作業も容易に行うことができる。また、どのような向きのボルト締結であっても容易に締結できるので、インバータ筐体１０の内部において効率的に部品を配置できる。その結果、インバータユニット１の小型化も可能である。
【００４１】
本実施形態では、バスバー接続部５５において、中継バスバー５７と外部接続バスバー５０とが、それぞれの板面を重ね合わされた状態で締結されるので、バスバー接続部５５の占有スペースを小さくできる。
【００４２】
本実施形態のインバータユニット１は、パワー部３０と外部接続バスバー５０とを接続する中継バスバー５７を有する。中継バスバー５７を用いることで、パワー部３０の出力端子３６の位置を変更することなくバスバー接続部５５を下側ケース１１の上端面１１ｃよりも上側に配置できる。この構成によれば、中継バスバー５７の外部接続バスバー５０へのネジ止め作業が容易になる。
【００４３】
上記実施形態では、中継バスバー５７を介してパワー部３０と外部接続バスバー５０とを接続する構成について説明したが、この構成に限られない。
例えば、パワー部３０の出力端子３６Ｕ、３６Ｖ、３６Ｗを、半導体モジュール３２から上側に延びる形状としてもよい。この構成によれば、バスバー接続部５５において、中継バスバー５７を用いることなく、パワー部３０と外部接続バスバー５０とを直接接続できる。この場合にも、下側ケース１１の上端面１１ｃよりも上側に位置するバスバー接続部５５において、水平方向に延びるボルト５４によりパワー部３０と外部接続バスバー５０とを締結することで、インバータユニット１を容易に組み立て可能である。
【００４４】
また上記実施形態では、外部接続バスバー５０は底壁１１ａを内外に貫通して配置される構成としたが、外部接続バスバー５０は側壁１１ｂを内外に貫通して配置されていてもよい。この場合にも、バスバー接続部５５が下側ケース１１の上端面１１ｃよりも上側に配置されることによる作業性向上効果が得られる。
【００４５】
図３に示すように、バスバー接続部５５に、中継バスバー５７と外部接続バスバー５０との締結部を覆う保護カバー５５ａが配置されていてもよい。保護カバー５５ａは、頂壁を有する角筒状の絶縁部材である。保護カバー５５ａは、ボルト５４による締結部の上側および側面を覆う。保護カバー５５ａが設けられていることで、バスバー接続部５５とカバー部材１２とを絶縁できる。
【符号の説明】
【００４６】
１…インバータユニット、２…モータ、３…モータユニット、１０…インバータ筐体、１１…下側ケース、１１ａ…底壁、１１ｂ，１２ｂ…側壁、１１ｃ…上端面、３０…パワー部、３６，３６Ｕ，３６Ｖ，３６Ｗ…出力端子、５０，５０Ｕ，５０Ｖ，５０Ｗ…外部接続バスバー、５２ｂ…区画壁、５４，７２，７３…ボルト、５５…バスバー接続部、５７，５７Ｕ，５７Ｖ，５７Ｗ…中継バスバー、７０…中継接続部、７１…中継部支持台、７１ａ…端子支持部、７１ｂ…中継部区画壁
【図１】
2020040279.tif 000003
【図２】
2020040279.tif 000004
【図３】
2020040279.tif 000005
【図４】
2020040279.tif 000006
【図５】
2020040279.tif 000007
【図６】
2020040279.tif 000008
【国際調査報告】
2020040279.tif 000009
2020040279.tif 000010
2020040279.tif 000011
2020040279.tif 000012